(57)【要約】      （修正有）【課題】草刈り時の飛び石の防除、一人作業の実施、作業の軽減、農作業では異なる野菜、果樹の消毒の防疫ができる移動式簡単飛散防止ネットを提供する。【解決手段】飛散防止ネット１４を装着した複数本の支柱と、支柱を立てる土台と、治具とで構成され、支柱には肉厚のエンビパイプを使用し、上段にキャップを被せ、キャップの頂上にはロープ掛け金具、支柱の上段にはネットを引掛ける金具を設け、ネットが捲くれない様に抑える為の面ファスナーをエンビパイプに接着剤、ビスで留め、エンビパイプの下部には土台の治具に装着する為の通し孔を形成し、支柱は所定の間隔をおいて配置され、土台の底にゴム加工した重石状のコーンベットをボルト四隅に留め、コーンベットの上面には金属を溶接加工した治具に支柱を通しボルトで装着し、直線状、Ｌの字状、コの字状に据え置く。【選択図】図２
0003217158.tif 000002
【実用新案登録請求の範囲】
【請求項１】
草刈り機等に生じる飛び石、農業での消毒、果樹、野菜と野菜の適切な薬剤の住み分けに飛散防止ネット、飛散防止ネットを設ける為に、土台となる治具に肉厚のＶＰのエンビパイプに加工を施した物を支柱として、エンビパイプの天上にキャップの上に転倒防止を防ぐ為にロープ掛ける金具、エンビパイプの上段には飛散防止ネットを掛ける金具、飛散防止ネットを留める為のマジックテープを接着剤、ビス等で留める、ネットは支柱を装着した土台を置く数によって長い距離を防除が出来る、支柱の置き方次第で
0003217158.tif 000005
る事ができるネットは地面に被さるようにしてクサビを打つ事と重石をすることによって風に煽られても舞い上がるのを防止できる、エンビパイプの下部には土台となる冶具に装着するボルト穴を設ける、エンビパイプなので倒れて人に接触しても怪我、被害が少ない、土台には支柱を留めるように金属を溶接加工した物に角度調整ができるように加工をしてボルト弐箇所でとめる事によって傾斜地に置いてもクサビを打つことによってズレ止めに成り安全に支柱を据え置く事ができる、土台の底には市販されているゴム加工されている重石状のコーンベットを土台にして冶具の四隅にボルトで合体させる事によって、コーンベットを使用することによって落下してもカドが無いので大きな怪我にはつながらない、土台は風による転倒防止に羽根出しの冶具を装着する事ができる、補助材は軽量鉄骨Ｃ型鋼を加工をするＣ型鋼を上面の片側に一箇所長穴を設け、横に左右対象にカットをする、支柱は組み立て式で持ち運びが楽にできて草刈り等の四方八方に飛ぶ飛び石の防除になる、農作業では消毒を果樹、野菜と野菜との適切な薬剤の散布ができるので果樹、野菜との境に設置する事によって出荷停止が回避ができる、持ち運びが楽にでき飛散防止ネット及び土台と支柱も備え付ける事が簡単である移動式簡単飛散防止ネットである。
【請求項２】
請求項１に記載された、移動式簡単飛散防止ネットの支柱に肉厚のエンビパイプＶＰを使用することによって丈夫で材質が軽く軟らかいので倒れても被害が少ない。
【請求項３】
請求項１に記載された、土台には角度調整ができるように一部分半円径状に加工した金属に半円径状の内回りに沿って複数の穴を設け、エンビパイプの支柱の角度に合わせボルト弐箇所で固定する、又支柱を留めるボルト穴を設ける、土台の金属は溶接加工する。
【請求項４】
請求項３に記載された、土台とコーンベット、エンビパイプの支柱との併合の組み立て式で持ち運びが楽にでき色んな形で置く事が出来る、コーンベットを使用することによってゴム制でカドが無いので危険が少ない、一人作業も安全にこなせる据え置き方式である。
【請求項５】
請求項１に記載された、治具の土台には転倒防止の補助材として羽根出し用に軽量鉄骨Ｃ型鋼を加工して長さ５０ｃｍ位のＣ型鋼を上面の片方に一箇所長穴を設け横を左右対象に５ｃｍの長さで上面までカットをする、転倒の危険が生じる場合は装着する。
【考案の詳細な説明】
【技術分野】
【０００１】  本考案は移動式簡単飛散防止ネットに飛散防止ネットを装着する為の支柱にエンビパイプを加工を施して使用、エンビパイプにロープを掛ける金具、ネットを掛ける金具、ネットをマジックテープでネットを挟むためのマジックテープをつける、土台は角度調整ができる様に加工する又クサビを打つ穴と底にはゴム加工されたコーンペットを金属加工された土台の冶具とで四隅をボルトで留める、転倒防止に支柱の頂上にロープを掛ける金具、土台に補助材として羽根出しを取り付けることが出来る、又エンビパイプを使用する事によって軟らかくて軽い材質ですので転倒しても被害が少ない、土台の冶具は金属を溶接加工した物。
【背景技術】
【０００２】  従来、草刈りの飛び石の防除に人がシート、コンパネ等を持って草刈り機に合わせて移動しています、車道での作業、高所での悪条件の作業では草刈り機に気を取られて足元の注意がおろそかになる（特許文献１）アルミ材の枠に飛散防止ネットを装着して後ろで手で支える取っ手と下部には車輪を備え付けて人が支えて草刈り機に合わせて移動しています、横幅２，７ｍ高さ１，８ｍで出来ています一定方向の防御しか対処できないのと一人作業が出来ない、飛び石の方向によっては３ｍの長さでは防御が出来かねる、高所での作業では安全な作業が行なえない、（特許文献２）人が背負ベルトで吊り下げて横架部材を両手に持って支えながら移動を行う飛散防止ネットが考案されていますが背負って作業を行う作業者は足元の安全、体力に負担がかかります、壁のような高所では仕事ができない、一人作業ができない、（特許文献３）建設現場で危険を回避する為に設置されるカラーコーンに支柱を立てて防除ネットを装着された物が提案されているが、重石だけではネットが風に煽られた場合は転倒します。
【先行技術文献】
【特許文献】
【０００３】
【特許文献１】実用新案登録第３１０７６４９号公報
【特許文献２】実用新案登録第３１４９１７５号公報
【特許文献３】実用新案登録第３１４９１７６号公報
【考案の概要】
【考案が解決しようとする課題】
【０００４】  本考案は、草刈り等で飛び石の飛散防止に使用しているシート、コンパネ、（特許文献１）アルミ材の枠にネットを装着した物を人が後ろで支えて移動している物がある、（特許文献２）人が背負いベルトでネットを吊り下げて横下部材を両手で持って移動を行なう物と、（特許文献３）カラーコーンに支柱を立ててカラーコーンとカラーコーンとの間に防護ネットを張る物が考案されていますが、課題は一人作業ができない事と、壁のような高所では人が支えて移動するのは危険である、足元が見えないのでつまずいた場合は危険である、草刈り機を防護ネットに合わせ移動を行ないますがナイロンコード等で草刈りを行ないますと地面の石が四方八方に飛び石として生じるので２，７ｍの長さの防護ネットでは飛散する飛び石を防ぐ事が出来ない、カラーコーンの場合は風に煽られた場合は転倒します、他の考案は横一方向の防御しか対処ができない、農業では野菜、果樹等の消毒では薬剤が異なので野菜の収穫をした時、異なる薬剤が検出された場合は出荷停止となる境に移動式簡単飛散防止ネットを備えたら防除ができるのではないか草刈り等では飛散する飛び石、一人作業、長い距離の防除、危険な作業の抑止になる。
【課題を解決するための手段】
【０００５】  本考案の移動式簡単飛散防止ネットは支柱、土台、ネットのパーツで構成されているので簡単に組み立てる事が出来る色んな形で据え置く事が可能、長い距離も支柱の数によって可能、据え置く事で一人作業が出来る、壁のような高所での悪条件でも安全に作業が出来る、傾斜地でも支柱を垂直に立ててロープ、クサビ等で安全に作業が出来る、風に煽られた場合もロープ、クサビ、補助材の羽根出しで対処できる又持ち運びが容易く使用されている材料も支柱にエンビパイプ、土台の底にはゴム加工を施したコーンベットを装着する事によって角が無いのと支柱にエンビパイプを使用する事によって転倒しても被害が少ない。
【考案の効果】
【０００６】  組み立て式で簡単に飛散防止ネットが装着ができて長い距離と色んな形で据え置く事で草刈り時の飛び石の防除、一人作業も安全にこなせる、又壁のような高所で条件が悪い場所でもロープ、クサビ等で固定する事によって安全に作業が行なえる、傾斜地でも支柱を垂直に立ててクサビ、ロープ等で固定する事によって安全が確保が出来た、草
0003217158.tif 000003
をセットした土台いを据え付ける事によって飛び石の防除ができる、農業においても異なる果樹、野菜用の消毒の境に設置する事によって安全な作物ができる、移動式簡単飛散防止ネットを車両に積み込む場合も組み立て式ですのでバラして搭載してもスペースを取らない倉庫に収納しても場所の確保が容易い。
【図面の簡単な説明】
【０００７】
【図１】本考案の移動式簡単飛散防止ネットの正面図、側面図、傾斜にした正面図
【図２】移動式簡単飛散防止ネットの組み立ててセットされた正面図、平面図である
【図３】支柱を装着する治具の図面である
【図４】移動式簡単飛散防止ネットを装着する支柱の図面である
【図５】転倒防止を防ぐ為の補助材の図面である
【図６】転倒防止、ズレ止め、ネットの跳ね上げを防止するクサビの図面である
【図７】土台の底に装着するコーンベットの側面図、平面図である
【考案を実施するための形態】
【０００８】  移動式簡単飛散防除ネットを組み立ててセットして草刈り時の飛び石、一人作業の実施、消毒の防除に役立てる事ができる、土台に支柱をセットしてネットを取り付け地面に
0003217158.tif 000004
場合もクサビ重石等で対処が出来る、転倒防止に支柱の天上のロープを掛ける金具にロープを装着して固定する事によって転倒防止なる、Ｃ型鋼を改良した羽根出し補助材を装着させることで転倒防止になる、支柱を色んな形で据え置く事によって四方八方に飛ぶ飛び石の防除が出来る、支柱もエンビパイプなるので軽く軟らかい、エンビパイプにネットをセットをする為の金具、マジックテープを装着する、ネットの高さによって支柱を製作する事が出来る、傾斜地でも支柱を垂直にしてクサビ、ロープ等で対応が出来る、組み立て方式で全部がパーツに分かれるので車両への搭載も楽にできスペースもとらない、倉庫の収納にも場所の確保が容易くできる。
【実施例】
【０００９】  以下添付図面に従って一実施例を説明する。（図１Ｂ）ロープ掛け金具にロープを掛け転倒防止にする（図１Ｂ）キャップの頂上にロープ掛け金具をつける（図１Ｂ）防護ネットを吊り下げる為の金具（図１Ｂ）マジックテープでネットを風に煽られ無い様にネットを挟んで留める（図１Ｂ）エンビパイプの支柱（図３Ａ）冶具とコーンベットを留めるボルト（図３Ａ）支柱を留める冶具（図３Ａ）支柱を垂直に保つための当て板（図３Ｂ）支柱を傾斜にした時角度を決めボルト弐箇所で固定する（図５）羽根出し補助材転倒を回避するため（図７）コーンベット、ゴム製で重石状になっている（図６）クサビ傾斜地のズレ止め、ネットの跳ね上げの防止に使用ができる（図２Ａ）防護ネット（図３Ａ）冶具の溶接をした物全部組み立てて活用する事によって草刈りの飛び石の防除、一人作業が可能となる又据え置き方式ですので高所のような悪い条件の壁のような場所でも安心に仕事が出来る、足元の心配もなくなる、転倒防止にロープで固定する又羽根出しの補助材のＣ型鋼を装着する事によって風に煽られた場合でも安全である、農業では果樹、野菜と野菜同士の消毒もそれぞれ薬液が違うので散布をするとき境に移動式簡単飛散防止ネットを据え置くことによって、消毒の防除、草刈りの飛び石の防除一人作業が可能となる移動式簡単飛散防止ネットである。
【符号の説明】
【０００１０】１  ロープ掛け金具
２  キャップ
３  防護ネットを吊り下げる金具
４  マジックテープ、ビス接着剤留め
５  エンビ゛パイプ
６  支柱を留めるボルト
７  治具とコーンベット留めるボルト穴
８  支柱を留める治具
９  支柱を垂直に保つ為の当て板
１０  角度調整ボルト穴
１１  羽根出し補助材
１２  コーンベット
１３  クサビ
１４  ネット
１５  溶接
【図１】
0003217158.tif 000006
【図２】
0003217158.tif 000007
【図３】
0003217158.tif 000008
【図４】
0003217158.tif 000009
【図５】
0003217158.tif 000010
【図６】
0003217158.tif 000011
【図７】
0003217158.tif 000012
【手続補正書】
【提出日】平成30年1月22日(2018.1.22)
【手続補正１】
【補正対象書類名】実用新案登録請求の範囲
【補正対象項目名】全文
【補正方法】変更
【補正の内容】
【実用新案登録請求の範囲】
【請求項１】
飛散防止ネットの（１４）ネットを装着する（図１Ｂ）支柱、（図３Ａ）を立てる土台、冶具とで構成される、
（図１Ｂ）支柱には（図４Ｂ）肉厚のエンビパイプを使用、（図１Ｂ  ２）エンビパイプの上段にキャップを被せる、キャップの頂上には（図１Ｂ  １）ロープを掛ける金具、支柱の上段にはネットを引掛ける（図１Ｂ  ３）金具、ネットを支柱に留める為の（図１Ｂ  ４）面ファスナーをエンビパイプに接着剤、ビスで留める、エンビパイプの（図１Ｂ  ６）下部には土台の冶具に装着する為の通し長孔を設け全部を連接された物からなる（図１Ｂ）支柱である、
（図１Ｂ）支柱を立てる（図１Ｃ）土台の底に（図７  １２）ゴム加工されている重し状のコーンベットをボルトを四隅で留める、コーンベットの上面には金属を（図３  １５）溶接加工をした（図３  Ａ）冶具に（図１  Ｂ）支柱を（図１６）通しボルトで装着する事で移動が可能で（図２  Ｂ）Ｌの字状、コの字状、色んな形で据え置く事ができる、
（図５）軽量鉄骨Ｃ型鋼の上面に一箇所長孔を設け、左右対称に横側を５センチ位上面までカットした物を補助材として羽根出し状に土台に装着する事によって転倒防止に役立てる事ができる、全部のパーツを組み立てる事によって移動式簡単飛散防止ネット。
【請求項２】
飛散防止ネットを装着する支柱に肉厚のエンビパイプＶＰにネットを備え付ける引掛け金具を付ける、ロープを架けれる様にエンビパイプの上にキャップを装着して頂上に金具をつける、ネットを支柱に留める為に支柱に面ファスナーを何箇所かに接着剤、ビスで留める、エンビパイプの支柱は丈夫で軽く軟らかいので倒れても被害が少ない、
請求項１に記載された移動式簡単飛散防止ネット。
【請求項３】
飛散防止ネットを装着する支柱の土台の底にゴム加工されている重し状のコーンベットを土台と支柱を立てる治具にボルトで四隅で留める、支柱を傾斜地でも垂直に保てるように金属を一部分半円形状に加工した板に半円形状の内回りに沿って複数の孔を設けて支柱の角度に合わせてボルト二箇所で固定する、土台に合体させる治具は溶接加工、請求項１に記載された移動式簡単飛散防止ネット。
【請求項４】
支柱を装着される土台の底にはゴム加工されている重し状のコーンベットを使用する事によってゴム制でカドが無いので接触して倒れても被害が少ない、支柱との併合の組み立て式で持ち運びが楽にでき色んな形で据え置く事が出来る、
請求１に記載された移動式簡単飛散防止ネット。
【請求項５】
飛散防止ネットを自立させる為に、土台の治具には転倒防止を回避する為の補助材として軽量鉄骨Ｃ型鋼を加工して、長さ５０ｃｍ位のＣ型鋼の上面に長孔を一箇所設け左右対象に横側を５ｃｍ位い上面までカットした物を土台にボルトで留めて地面に平に置き羽根出し状に据え置く事で転倒防止に役立てる事ができる、
請求項１に記載された移動式簡単飛散防止ネット。
【手続補正２】
【補正対象書類名】明細書
【補正対象項目名】全文
【補正方法】変更
【補正の内容】
【考案の詳細な説明】
【技術分野】
【０００１】  本考案は移動式簡単飛散防止ネットに飛散防止ネットを装着する為の支柱にエンビパイプを加工を施して使用、エンビパイプにロープを掛ける金具、ネットを掛ける金具、ネットを面ファスナーでネットを挟むための面ファスナーをつける、土台は角度調整ができるように加工する、又クサビを打つ孔を設ける、底にはゴム加工されている重石状のコーンベットを金属加工を施された土台の治具に四隅をボルトで留める、転倒防止に支柱の頂上にロープを掛ける金具、土台には補助材としてＣ型鋼を加工した物を羽根出しとして取り付ける事が出来る、又エンビパイプを使用する事によって軟らかくて軽い材質ですので転倒しても被害が少ない、土台の冶具は金属の板に一部分半円形状に加工した板に複数の孔を設け底板に溶接加工をしてエンビパイプを垂直に立てるのと分度にして支柱を二箇所のボルトで固定する。
【背景技術】
【０００２】  従来、草刈りの飛び石の防除に人がシート、コンパネ等を持って草刈り機に合わせて移動しています、車道での作業、高所での悪条件の作業では草刈り機に気を取られて足元の注意がおろそかになる（特許文献１）アルミ材の枠に飛散防止ネットを装着して後ろで手で支える取っ手と下部には車輪を備え付けて人が支えて草刈り機に合わせて移動しています、横幅２，７ｍ高さ１，８ｍで出来ています一定方向の防御しか対処できないのと一人作業が出来ない、飛び石の方向によっては３ｍの長さでは防御が出来かねる、高所での作業では安全な作業が行えない、（特許文献２）人が背負いベルトで吊り下げて横架部材を両手に持って支えながら移動を行う飛散防止ネットが考案されていますが背負って作業を行う作業者は足元の安全、体力に負担がかかります、壁のような高所では仕事ができない、一人作業ができない、（特許文献３）建設現場で危険を回避する為に設置されるカラーコーンに支柱を立てて防除ネットを装着された物が提案されているが、重石だけではネットが風に煽られた場合は転倒します。
【先行技術文献】
【特許文献】
【０００３】
【特許文献１】実用新案登録第３１０７６４９号公報
【特許文献２】実用新案登録第３１４９１７５号公報
【特許文献３】実用新案登録第３１４９１７６号公報
【考案の概要】
【考案が解決しようとする課題】
【０００４】  本考案は、草刈りで飛び石の飛散防止に使用しているシート、コンパネ（特許文献１）アルミ材の枠にネットを装着した物を人が後ろで支えて移動している物がある、（特許文献２）人が背負いベルトでネットを吊り下げて横下部材を両手で持って移動を行う物と、（特許文献３）カラーコーンに支柱を立ててカラーコーンとカラーコーンとの間に防護ネットを張る物が考案されていますが、課題は一人作業ができない事と、壁のような高所では人が支えて移動するのは危険である、足元が見えないのでつまずいた場合は危険である、草刈り機を防護ネットに合わせ移動を行いますがナイロンコード、刈刃で草刈りを行いますと地面の石が四方八方に飛び石として生じるので２，７ｍの長さの防護ネットでは飛散する飛び石を防ぐ事が出来ない、カラーコーンの場合は風に煽られた場合は転倒します、他の考案は横一方向の防御しか対処ができない、農業では野菜、果樹等の消毒では薬剤が異なので野菜の収穫をした時、異なる薬剤が検出された場合は出荷停止となる境に移動式簡単飛散防止ネットを備えたら防除ができるのではないか草刈り等では飛散する飛び石、一人作業、長い距離の防除、危険な作業の抑止になる。
【課題を解決するための手段】
【０００５】  本考案の移動式簡単飛散防止ネットは支柱、土台、ネットのパーツで構成されているので簡単に組み立てる事が出来る色んな形で据え置く事が可能、長い距離も支柱の数によって可能、据え置く事で一人作業が出来る、壁のような高所での悪条件でも安全に作業が出来る、傾斜地でも支柱を垂直に立ててロープ、クサビ等で安全に作業が出来る、風に煽られた場合もロープ、クサビ、補助材の羽根出しで対処できる又持ち運びが容易く使用されている材料も支柱にエンビパイプ、土台の底にはゴム加工されている重石状のコーンベットを装着する事によって角が無いのと支柱にエンビパイプを使用する事によって転倒しても被害が少ない。
【考案の効果】
【０００６】  組み立て式で簡単に飛散防止ネットが装着ができて長い距離と色んな形で据え置く事で草刈り時の飛び石の防除、一人作業も安全にこなせる、又壁のような高所で条件が悪い場所でもロープ、クサビ等で固定する事によって安全に作業が行える、傾斜地でも支柱を垂直に立ててクサビ、ロープ等で固定する事によって安全が確保が出来た、草刈り機でナイロンコード、刈刃などせで草刈り行うと飛び石が四方八方に飛ぶのでＬの字状、コの字状に、土台と支柱をセットした物を据え置く事によって飛び石の防除が出来た、
農業に於いても異なる果樹、野菜との境に設置する事によって適正な消毒ができ安全な作物がてきる、移動式簡単飛散防止ネットを車両に搭載する場合も土台、支柱、ネットとの組み立て式ですのでバラして車両に搭載しても場所の確保も容易く、倉庫に収納しても場所の確保が容易い移動式飛散防止ネット。
【図面の簡単な説明】
【０００７】
【図１】本考案の移動式簡単飛散防止ネットの正面図、側面図、傾斜にした正面図
【図２】移動式簡単飛散防止ネットの組み立ててセットされた正面図、平面図である
【図３】支柱を装着する冶具の図面である
【図４】移動式簡単飛散防止ネットを装着する支柱の図面である
【図５】転倒防止を防ぐ為の補助材の図面である
【図６】転倒防止、ズレ止め、ネットの跳び上げを防止するクサビの図面である
【図７】土台の底に装着するコーンベットの側面図、平面図である
【考案を実施するための形態】
【０００８】  移動式簡単飛散防止ネットを組み立ててセットして草刈り時の飛び石、一人作業の実旋、消毒の防除に役立てる事ができる、土台に支柱をセットしてネットを取り付け地面に直線状、Ｌの字状、コの字状に色んな形で据え置く事ができる、
支柱には肉厚のエンビパイプをネットの高さに合わせて製作、エンビパイプの頂上にキャップを取り付け上面にロープを掛ける金具をつける、エンビパイプの上段にはネットを引掛ける金具をつける、ネットを支柱に留める為の面ファスナーをエンビパイプに接着剤、ビスで留める、エンビパイプの下部には土台の治具に装着する通し孔を設ける、エンビパイプなので軽くて軟らかいので倒れて人に接触しても怪我等の被害が少ない、
支柱を立てる土台の底にはゴム加工されている重し状のコーンベットを支柱を装着する冶具にボルト四箇所で合体される、コーンベットはゴム制で角が無いので落下しても怪我、被害が少ない、支柱を立てる冶具には金属の板に、一部分半円形状に加工をした金属の板に複数の孔を設け支柱を立てられるように溶接加工を施して支柱を垂直、分度で角度調整をしてボルト二箇所で固定する、傾斜地ではクサビ、ロープで固定、
転倒防止に軽量鉄骨Ｃ型鋼を加工して補助材にする、Ｃ型鋼の上面に一箇所長孔を設け、横側を左右対象５ｃｍ位の長さに上面までカットする、
支柱、土台と組み立てて作業場所に据え置く事が楽にできて、ネットをセットして据え置く事で飛び石の防除、支柱と土台の合体された物で軽く持ち運びが楽にできる、
農作業では果樹、野菜の境に設置する事によって果樹、野菜に適切な薬液の散布が行われるので消毒によってのトラブルが回避できるので安全な作物が消費者に提供できる、支柱、土台、ネットのパーツに分かれ軽いので車両への搭載も楽にできスペースの確保も容易い、倉庫の収納にも場所の確保が容易くできる。
【実施例】
【０００９】  以下添付図面に従って一実施例を説明する。（図１Ｂ）ロープ掛け金具にロープを掛け転倒防止にする（図１Ｂ）キャップの頂上にロープ掛け金具をつける（図１Ｂ）防護ネットを吊り下げる為の金具（図１Ｂ）面ファスナーでネットを風に煽られ無い様にネットを挟んで留める（図１Ｂ）エンビパイプの支柱（図３Ａ）冶具とコーンベットを留めるボルト（図３Ａ）支柱を留める冶具（図３Ａ）支柱を垂直に保つための当て板（図３Ｂ）支柱を傾斜にした時角度を決めボルト弐箇所で固定する（図５）羽根出し補助材転倒を回避するため（図７）コーンベット、ゴム制で重し状になっている（図６）クサビ傾斜地のズレ止め、ネットの跳ね上げの防止に使用が出来る（図２Ａ）防護ネット（図３）土台にする治具を溶接加工を施した物、全部のパーツを組み立てて活用する事によって草刈りの飛び石の防除、一人作業が可能となる又据え置き方式ですので高所のような悪い条件の壁のような場所でも安心に仕事が出来る、足元の心配もなくなる、転倒防止にロープで固定する、又羽根出しの補助材の軽量鉄骨のＣ型鋼を装着する事によって風に煽られた場合でも安全である、農業では果樹、野菜と野菜同士の消毒もそれぞれ薬液が違うので散布する時に境に移動式飛散防止ネットを据え置く事によって消毒の防除、草刈りの飛び石の防除、一人作業が可能となる移動式簡単飛散防止ネット。
【符号の説明】
【０００１０】１    ロープ掛け金具
２    キャップ
３    防護ネットを吊り下げる金具
４    面ファスナー
５    エンビ゛パイプ
６    支柱を留めるボルト
７    治具とコーンベット留めるボルト穴
８    支柱を留める治具
９    支柱を垂直に保つ為の当て板
１０  角度調整ボルト穴
１１  羽根出し補助材
１２  コーンベット
１３  クサビ
１４  ネット
１５  溶接
１６  土台
【手続補正３】
【補正対象書類名】図面
【補正対象項目名】全図
【補正方法】変更
【補正の内容】
【図１】
0003217158.tif 000013
【図２】
0003217158.tif 000014
【図３】
0003217158.tif 000015
【図４】
0003217158.tif 000016
【図５】
0003217158.tif 000017
【図６】
0003217158.tif 000018
【図７】
0003217158.tif 000019
【手続補正書】
【提出日】平成30年5月7日(2018.5.7)
【手続補正１】
【補正対象書類名】実用新案登録請求の範囲
【補正対象項目名】全文
【補正方法】変更
【補正の内容】
【実用新案登録請求の範囲】
【請求項１】
草刈り機で草刈りを行うと飛び石が生じるので物損事故を防止すると供に、農作業では対象作物に適切な消毒液が散布なされる為に設置される飛散防止ネットであって、
飛散防止ネットを装着する複数本からなる支柱を立てる土台（１６）、治具とで構成され、
支柱には肉厚のエンビパイプ（５）を使用、エンビパイプの上段にキャップ（２）を被せる、
キャップの頂上にはロープ掛ける金具（１）、支柱の上段にはネットを引掛ける金具（３）、ネットが捲くれない様に抑える為の面ファスナー（４）をエンビパイプに接着剤、ビスで留め、エンビパイプの下部には土台の治具に装着する為の通し孔が形成され、前記支柱は所定の間隔をおいて配置され、支柱を立てる土台の底にゴム加工されている重石状のコーンベットがボルト四隅に留め、コーンベットの上面には金属を溶接加工をした治具（８）に支柱が通しボルトで装着され直線状、Ｌの字状、コの字状色んな形で据え置く事ができ、
軽量鉄骨Ｃ型鋼の上面に一箇所長孔の溝が設けられ、左右対称に横側を５ｃｍ位上面までカットした物を補助材として羽根出し状に装着する事によって転倒防止に役立てる事が出来る、移動式簡単飛散防止ネット。
【請求項２】
飛散防止ネットを装着する支柱に肉厚のエンビパイプ（５）に転倒防止を防ぐ為のロープ掛け金具（１）ネットが風に煽れ上が無い様に面ファスナー（４）を何ヶ所か接着剤、ビスで留め、ネットを引掛ける為の金具（３）を装着したエンビパイプの支柱は軽く軟らかく丈夫で加工も容易く転倒しても被害が少ない、土台とセットにしても持ち運びが楽にでき、据え置きが簡単である、請求項１に記載されている移動式簡単飛散防止ネット。
【請求項３】
飛散防止ネットを装着する支柱を留める土台（１６）の治具（８）には、支柱の分度調整を可能にするため、金属の板を一部分半円形状に加工した二枚の板に複数の孔（１０）を設け、二枚の板でパイプの支柱（５）を立てられる様に溶接（１５）加工をし、半円形状の板の上後ろ側に背板を設け、支柱を背面に当てると垂直になり、傾斜地ではボルト弐本で支柱を垂直に留める事で傾斜地での設置ができ、ロープ、羽根出し補助材、クサビで転倒防止に備える事で、フェンス状のネットが転倒する事が無く、安心して草刈りが実施できる、請求項１に記載されている移動式簡単飛散防止ネット。
【請求項４】
支柱を立てる治具（８）の底にゴム加工されている重石状のコーンベット（１２）をボルト４本で四隅で留める事で基礎の土台（１６）となり、コーンベットを使用する事によって、ゴム制でカドが無いので接触して倒れても被害が少ない、
治具の底にコーンベットと支柱（５）とで併合の組み立て式で下部の土台（１６）に重心がかかり安定して、持ち運びが楽にでき直線状、Ｌの字状、コの字状色んな形で設置が可能、請求項３に記載されている移動式簡単飛散防止ネット。
【請求項５】
飛散防止ネットを自立させるために土台（１６）の治具には風に煽られても、転倒を回避するための補助材として長さ５０ｃｍ位の軽量鉄骨Ｃ型鋼（１１）をコーンベット、治具の四隅のボルトを緩めるだけで羽根出し補助材（１１）が取り付くよう、Ｃ型の一辺５ｃｍ位を切り取る事と、四隅のボルトに差し込むために、Ｃ型鋼の上面に長孔の溝を付ける、
土台に羽根出し状にし、地面の状況に合わせて取り付け、緩めたボルトを締め付ける、請求項４に記載されている移動式簡単飛散防止ネット。
【手続補正２】
【補正対象書類名】図面
【補正対象項目名】全図
【補正方法】変更
【補正の内容】
【図１】
0003217158.tif 000020
【図２】
0003217158.tif 000021
【図３】
0003217158.tif 000022
【図４】
0003217158.tif 000023
【図５】
0003217158.tif 000024
【図６】
0003217158.tif 000025
【図７】
0003217158.tif 000026